(57)【要約】【課題】仕上げの見栄えに優れ、かつ施工性の良い巾木接続部の構造を提供する。【解決手段】壁の下端縁に沿い取り付けられて壁と床との間を覆う帯板状の巾木本体と、左右の壁が交差する入隅部、又は出隅部において、双方の壁に沿ってのびる左右の前記巾木本体の接続部に設けられ、双方の巾木本体を連続させる巾木継ぎ材と、壁の入隅部、又は出隅部に固着され、かつ巾木継ぎ材を取り付ける取付具とを具える巾木接続部の構造であって、前記巾木継ぎ材及び巾木本体の入隅部、又は出隅部に近接する端部は、その裏面に同高さで水平に切り込まれたスリットを有し、前記取付具には、前記スリットと同高さで外に向いてのびる水平片が突設され、前記取付具の水平片に、左右の巾木本体のスリットと巾木継ぎ材のスリットとを連続的に嵌合して、巾木継ぎ材を取り付けることを特徴とする。【選択図】図２
2007092446.tif 000002
【特許請求の範囲】
【請求項１】
壁の下端縁に沿い取り付けられて壁と床との間を覆う帯板状の巾木本体と、左右の壁が交差する入隅部、又は出隅部において、双方の壁に沿ってのびる左右の前記巾木本体の接続部に設けられ、双方の巾木本体を連続させる巾木継ぎ材と、壁の入隅部、又は出隅部に固着され、かつ巾木継ぎ材を取り付ける取付具とを具える巾木接続部の構造であって、
前記巾木継ぎ材及び巾木本体の入隅部、又は出隅部に近接する端部は、その裏面に同高さで水平に切り込まれたスリットを有し、前記取付具には、前記スリットと同高さで外に向いてのびる水平片が突設され、
前記取付具の水平片に、左右の巾木本体のスリットと巾木継ぎ材のスリットとを連続的に嵌合して、巾木継ぎ材を取り付けることを特徴とする巾木接続部の構造。
【請求項２】
前記取付具は、水平断面Ｌ字状の基板と、この基板から前に突出するとともに横に連続する水平片とからなり、
前記水平片は、基部から先端に向けて厚さが漸減するテーパ状をなすことを特徴とする請求項１記載の巾木接続部の構造。
【請求項３】
前記水平片の基部の厚さＷａと、前記巾木本体及び巾木継ぎ材のスリットの開口寸法Ｗｂとの比（Ｗａ／Ｗｂ）は、１．０５以上かつ１．５未満であることを特徴とする請求項２記載の巾木接続部の構造。
【請求項４】
前記巾木本体及び巾木継ぎ材は、その裏面下側に、取付具の基板を収容しうる凹部が形成されることを特徴とする請求項１〜３のいずれかに記載の巾木接続部の構造。
【発明の詳細な説明】
【技術分野】
【０００１】
本発明は、壁の下端縁に沿って、壁の入隅部、又は出隅部に向けてのびる左右の巾木の連続部の納まりを、熟練を必要としないでしかも仕上がりを綺麗に施工できる巾木接続部の構造に関する。
【背景技術】
【０００２】
壁の入隅部、又は出隅部における左右巾木ｂ、ｂの納まりは、図５に示すように、現場合わせにより左右の巾木の端面を斜め４５度に切断した上で、切断斜面相互を突き合わせることにより施工している。しかし、突き合わせ部に隙間、段差ｄを生じやすく、綺麗に納めるためには相当の熟練が要求される。また巾木部材の反りなどにより、一方の巾木の端部固定が緩んで、外観を損ねることがある。
【０００３】
そこで本出願人は、図６に示すように、左右の巾木ｂ、ｂの上からＬ字状に形成された巾木キャップａを被せて巾木ｂ、ｂの接続部を被覆し、これにより隙間、段差ｄを防ぎ、かつ施工性を高めた構造を提案している。この巾木キャップａは、巾木ｂの表面形状に沿った形状の薄板状をなし、プラスチック、金属などを用いて成形され、裏面に形成された係止片を巾木ｂに係合させたり、接着剤を用いて巾木ｂの表面に固定している（例えば、特許文献１参照）。
【０００４】
【特許文献１】特開２００２−２５６６９０号公報
【発明の開示】
【発明が解決しようとする課題】
【０００５】
しかしながら、薄板状に形成されるものの、巾木キャップａの端部にできる線状の段差が目立ち、しかも巾木キャップａは模様、色調など巾木ｂと同じ外観に成形しても、材質感が異なることから、巾木ｂとの間に違和感を生じる。また、巾木部材の反り、その取付位置の誤差、壁面の微妙な凹凸などによって、左右の巾木ｂ、ｂの仕上げ面の間で高さ、又は出入方向のズレを生じ易く、このような場合その上に被せる巾木キャップａに微妙な傾きを生じ、あるいは前記ズレが吸収できない時には巾木キャップａの端部に隙間ができて、見栄えを損ねるという問題がある。
【０００６】
また、係止片を用いたワンタッチ方式により巾木キャップａを装着する時、作業性に優れるものの、熱膨張の差、経年変化などで巾木キャップａが変形すると、交通振動、歩行などにより、巾木キャップａの係合が外れ易い。
【０００７】
本発明は、取付具の水平片に、左右の巾木本体のスリットと巾木継ぎ材のスリットとを連続的に嵌合して、巾木継ぎ材を取り付けることを基本とし、仕上げの見栄えに優れ、かつ施工性の良い巾木接続部の構造の提供を課題としている。
【課題を解決するための手段】
【０００８】
前記目的を達成するために、請求項１に係る発明は、壁の下端縁に沿い取り付けられて壁と床との間を覆う帯板状の巾木本体と、左右の壁が交差する入隅部、又は出隅部において、双方の壁に沿ってのびる左右の前記巾木本体の接続部に設けられ、双方の巾木本体を連続させる巾木継ぎ材と、壁の入隅部、又は出隅部に固着され、かつ巾木継ぎ材を取り付ける取付具とを具える巾木接続部の構造であって、前記巾木継ぎ材及び巾木本体の入隅部、又は出隅部に近接する端部は、その裏面に同高さで水平に切り込まれたスリットを有し、前記取付具には、前記スリットと同高さで外に向いてのびる水平片が突設され、前記取付具の水平片に、左右の巾木本体のスリットと巾木継ぎ材のスリットとを連続的に嵌合して、巾木継ぎ材を取り付けることを特徴とする。
【０００９】
請求項２に係る発明では、前記取付具は、水平断面Ｌ字状の基板と、この基板から前に突出するとともに横に連続する水平片とからなり、前記水平片は、基部から先端に向けて厚さが漸減するテーパ状をなし、また請求項３に係る発明においては、前記水平片の基部の厚さＷａと、前記巾木本体及び巾木継ぎ材のスリットの開口寸法Ｗｂとの比（Ｗａ／Ｗｂ）は、１．０５以上かつ１．５未満であり、請求項４の巾木本体及び巾木継ぎ材は、その裏面下側に、取付具の基板を収容しうる凹部が形成されることを特徴とする。
【発明の効果】
【００１０】
請求項１に係る発明は、同高さのスリットが、横に連続する水平片に嵌合されるため、左右の巾木本体と巾木継ぎ材の取付高さが整一に揃い、見栄えが優れる。また左右の巾木本体及び巾木継ぎ材は、裏面のスリットに取付具の水平片が嵌合することによって確りと固定され、更に接着剤との併用などにより取付強度が一層安定する。しかも取付具の水平片にスリットを嵌合するだけで、巾木本体、巾木継ぎ材が位置合わせされて取り付けできるため、施工性に優れ、かつ作業に熟練を必要としない。
【００１１】
請求項２に係る発明では、スリットに嵌合する水平片のテーパ面にガイドされて取り付け作業を行なえるため、施工性が向上し、また請求項３に係る発明の水平片は、好適な圧力でスリットに嵌合されるため、取付強度が安定し、しかも過大な圧入力を必要としないため作業性が向上する。
【００１２】
請求項４に係る発明では、取付具の基板が凹部内に収容されるため、巾木本体及び巾木継ぎ材と壁との間における隙間発生が防止され、外観が向上する。
【発明を実施するための最良の形態】
【００１３】
以下、本発明の実施の一形態を、図示例とともに説明する。図１に示すように、巾木接続部の構造１は、左右の壁Ｋ、Ｋが交差する入隅部、又は出隅部に採用されるものであり、左右の壁Ｋ、Ｋの下端部に沿って取り付けられる左右の巾木本体２、２と、この左右の巾木本体２、２の接続部に配される巾木継ぎ材３と、この巾木継ぎ材３を固定する取付具４とを含み構成される。
【００１４】
前記取付具４は、図２に示すように、外側に直角に折れ曲がり水平断面Ｌ字状をなす基板７と、この基板７の略中位に小長さで前方へ突出し、横に連続する水平片６とから成る。本形態の水平片６は、図３（Ａ）に示すように、基部から先に向けて厚さが漸減するとともに先端が尖ったテーパ状に形成されている。また本形態では、基板７と水平片６とが、ポリエチレン、ポリプロピレン、ポリスチレン、ポリエチレンテレフタレートなどのプラスチックを用いて一体に形成されているが、鉄、アルミニウムなどの金属を用いることもできる。
【００１５】
前記取付具４は、図２に示すように、基板７に穿設された取付孔２１に挿入された釘、ビスなどの固着具２２によって、壁Ｋの出隅部に沿い隙間なく取り付けられる。前記固着具２２に加えて接着剤を使用すると、取付強度が一層安定する。なお壁Ｋが直角を越えた鈍角で折れ曲がり、或いは９０度未満の鋭角な出隅部を形成する場合には、取付具４の基板７は、その出隅部の角度に一致する形状に形成される。
【００１６】
前記巾木本体２は、図２、３に示すように、壁Ｋと床Ｆとの間を覆う横長帯板状をなし、本形態では、表面の上３分の１程度の高さに、横に一直線にのびる化粧溝２３を有する。また裏面下側には、図３に示すように、小段差Ｔｂで形成された凹部８を有する。この凹部８は、小段差Ｔｂが前記取付具４の基板７の厚さＴａと同じか、又はこれよりも少し大きく形成される。そのため、巾木本体２を取付具４の上に重ねて取り付けた際、前記基板７が凹部８内に収容され、巾木本体２と壁Ｋの間に隙間を生じることを防止できる。
【００１７】
前記巾木継ぎ材３は、図２に示すように、縦の稜線部分Ｇから直角二方向に前記巾木本体２と同一の縦断面の腕部分３Ａ、３Ａが小長さでのびて形成されて、横断面Ｌ字状をなす。そして、前記左右の巾木本体２、２間に配され、これにより左右の巾木本体２、２は、巾木継ぎ材３を介して連続する。従って巾木継ぎ材３にも、前記巾木本体２に連続する化粧溝２３、及び取付具４の基板７を収容するための凹部８が形成される。また、前記取付具４の基板７と同様、壁Ｋの出隅部が直角以外の角度で折れ曲がる場合には、これに一致した角度に形成される。
【００１８】
前記取付具４の水平片６に嵌合させて巾木継ぎ材３及び前記巾木本体２を取り付けるため、巾木継ぎ材３及び前記巾木本体２は、その裏面に前記取付具４の水平片６と同一高さのスリット５が設けられる。本形態のスリット５は、前記凹部８内の裏面を水平に切り込むことにより形成される。なお、巾木本体２については、巾木継ぎ材３に連続する端部にのみ、スリット５を設けても良い。
【００１９】
また前記スリット５は、本形態では図３（Ａ）に示すように、開口縁から奥部に亘り均一巾に形成されるが、テーパ状に形成しても良い。またスリット５の開口寸法（スリットの幅寸法）は均一に形成される。そしてこの開口寸法をＷｂとすると、本形態の取付具４の水平片６基部の厚さＷａは、Ｗｂとの比率（Ｗａ／Ｗｂ）が１．０５以上かつ１．５未満に形成されている。１．０５未満では、スリット５内に嵌合された水平片６の支持強度が不足して抜け落ちの可能性があり、逆に１．５を超えると、前記嵌合に大きな力を必要とする上、楔効果によりスリット５の奥部から裂け目が生まれ、巾木継ぎ材３、又は巾木本体２の表面にクラックを発生する恐れがある。
【００２０】
前記巾木継ぎ材３及び前記巾木本体２の高さＨｂは、例えば５０〜１５０ｍｍ程度、好ましくは６５〜１００ｍｍ、本形態では７２ｍｍとしている。なお前記取付具４の基板７の高さをＨａとすると、巾木本体２との高さ比（Ｈａ／Ｈｂ）は、例えば、０．５〜０．９５程度、本形態では０．９１としている。更に巾木継ぎ材３は、一方の腕部分３Ａの先端面の他方の腕部分３Ａ裏面からの伸び長さＬが、例えば、２〜２０ｍｍ程度、好ましくは４〜１０ｍｍ、本形態では５．５ｍｍとしている。２ｍｍ未満では、スリット５と取付具４の水平片６との嵌合長さが不足するため、巾木継ぎ材３の支持力が不安定となり、逆に２０ｍｍを超えると、巾木継ぎ材３の部材としての大きさが嵩むため、取扱性が低下する。
【００２１】
なお本形態の巾木本体２及び巾木継ぎ材３は、合板をＶカットして所定形状に成形した基体２４に、ポリエチレン、ポリプロピレン、エチレン酢ビ樹脂（ＥＶＡ）などのオレフィン系樹脂、メラミン樹脂、ポリエステル樹脂その他の樹脂シート２５を貼着して形成される。或いはＭＤＦ( 中密度繊維板) 、パーティクルボード、集成材などの木質材を用いた基体２４を化粧紙で被覆し、その上に不飽和ポリエステル樹脂を塗布して形成することもでき、この他基体２４の表面に直接、ポリエステル塗料、ポリウレタン塗料、アミノアルキド塗料、アクリル塗料等を塗装して形成することもよい。
【００２２】
このように形成された巾木本体２及び巾木継ぎ材３は、双方のスリット５を取付具４の水平片６に連続的に嵌合することにより、壁Ｋの出隅部の下端に固着される。同一高さに形成された双方のスリット５が、水平に連続する水平片６に嵌合されるため、巾木本体２と巾木継ぎ材３は、高さが整一に揃うとともに表面が段差なく連続して、見栄えの良好な仕上がりが得られる。しかも、前記の如くスリット５を水平片６に嵌合する簡単な作業によって、正確に位置合わせできるため、施工性に優れ、しかも熟練を必要としない。
【００２３】
また、左右の巾木本体２、２及び巾木継ぎ材３は、裏面に設けたスリット５が取付具４の水平片６に嵌合することにより、確りと固定される。従って、例えば巾木本体２が経年変化により少しのヤセを生じても、固定が外れることが抑制される。これに加え、巾木本体２及び巾木継ぎ材３と、取付具４とを接着剤により固定することも良く、この場合には固着信頼性が一層向上する点で好ましい。
【００２４】
図４は、他の実施形態を例示している。以下異なる内容について説明し、それ以外は図中に表れた主要な構成に同じ符号を付すのみとする。本形態は、図１に示すように、左右の壁Ｋ、Ｋが交差する入隅部に採用される。本形態の取付具４は、内側へ直角に折れ曲がり水平断面Ｌ字状をなす基板７と、この基板７の略中位に小長さで内側へ突出し、横に連続する水平片６とから成る。この取付具４は、基板７の取付孔２１に挿入された釘、ビスなどの固着具２２により壁Ｋの入隅部に沿って、隙間なく取付けられる。また本形態の巾木継ぎ材３は、縦の谷線部分Ｖから直角二方向に前記巾木本体２と同一の縦断面の腕部分３Ａ、３Ａが小長さでのびて形成され、横断面Ｌ字状をなす。
【００２５】
本形態の左右の巾木本体２、２及び巾木継ぎ材３は、裏面に設けたスリット５が取付具４の水平片６に嵌合することにより、壁Ｋの下端部に確りと固定される。巾木本体２を斜めに切断する前記従来の施工法では、特に入隅部における現場合わせがやり辛く段差、隙間を生じがちである。しかし巾木接続部の構造１では、前記出隅部同様、標準化された作業によって、簡単かつ正確な位置に取り付けできるため、施工性が極めて良好である。
【００２６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２７】
【図１】本発明の一実施の形態を例示する斜視図である。
【図２】その要部を拡大した分解斜視図である。
【図３】（Ａ）はその分解縦断面図、（Ｂ）はその縦断面図である。
【図４】他の実施の形態を例示する分解斜視図である。
【図５】従来例の斜視図である。
【図６】他の従来例の斜視図である。
【符号の説明】
【００２８】
１      巾木接続部の構造
２      巾木本体
３      巾木継ぎ材
４      取付具
５      スリット
６      水平片
７      基板
８      凹部
Ｆ      床
Ｋ      壁
Ｗａ    厚さ
Ｗｂ    開口寸法
【図１】
2007092446.tif 000003
【図２】
2007092446.tif 000004
【図３】
2007092446.tif 000005
【図４】
2007092446.tif 000006
【図５】
2007092446.tif 000007
【図６】
2007092446.tif 000008